(57)【特許請求の範囲】
【請求項１】
脚部（２）と、前記脚部に支持された背部（３）および座部（４）と、を具え、空調空気供給路（１）から供給された空調空気（Ｃ）を前記背部内で上下方向へ延在する空調空気通路（１０）から上方斜め後方へ吹き出させる空調椅子において、
前記背部および前記座部の下方に位置して前記空調空気供給路および前記背部内の空調空気通路に連通する中間ボックス（１１）と、
前記背部の空調空気通路を開閉する開閉部材（１２）と、
前記中間ボックスと前記背部内の空調空気通路との接続部に連通するとともに前記座部の下方に向いて前向きに開口する補助空気通路（１３）と、
を具えることを特徴とする空調椅子。
【請求項２】
前記開閉部材（１２）は、前記背部の下端部に、前側から開閉操作可能に配置されていることを特徴とする、請求項１記載の空調椅子。
【請求項３】
前記中間ボックス（１１）は、前記座部の下方に向いて前向きに開口する開閉可能な吹出し口（１１ａ）を有することを特徴とする、請求項１または２記載の空調椅子。
【請求項４】
前記中間ボックス（１１）は、左右方向に繋がった複数の前記空調椅子同士で連通しており、
前記中間ボックス（１１）内には、前記空調空気供給路（１）から供給された空調空気を水平方向に分散させる整流プレート（１４）が設けられていることを特徴とする、請求項１から３までの何れか１項記載の空調椅子。
【発明の詳細な説明】
【技術分野】
【０００１】
この発明は、着席者の近傍に空調空気を供給して冷暖房効率を高めるために用いられる空調椅子に関し、特には冷房時と暖房時の空調空気の吹出し方向の変更が容易な空調椅子に関するものである。
【背景技術】
【０００２】
着席者の近傍に空調空気を供給して冷暖房効率を高めるために用いられる空調椅子としては、本願出願人が先に提案した、劇場やホール等で用いられる空調連結椅子が知られている（特許文献１参照）。この空調連結椅子は、連結椅子の脚部から背部内に供給した空調空気を、背部の上端部に設けたスリットから後方斜め上方へ吹き出させて、着席者の近傍に空調空気を供給するように構成している。
【先行技術文献】
【特許文献】
【０００３】
【特許文献１】特開平０９−２５２８７７号公報
【発明の開示】
【発明が解決しようとする課題】
【０００４】
ところで、かかる従来の空調椅子について本願発明者が研究を進めたところ、この従来の空調椅子では、空調空気が背部を通って上方へ抜けるだけであるので、暖房時に足元を暖めるのに充分とはいえず、それゆえ着席者の快適感を充分に高めることが難しいということが判明した。そしてこの問題の解決のために単に足元にも空調空気の吹出し口を設けるだけでは、冷房時に背部を通って上方へ抜ける空調空気が少なくなり、それゆえこの場合も着席者の快適感を充分に高めることが難しいということが判明した。
【０００５】
従ってこの発明は、冷房時と暖房時との何れにおいても着席者の快適感を充分に向上させることができ、しかも空調効率を高めることもできる空調椅子を提供することを目的とする。
【課題を解決するための手段】
【０００６】
上記課題を有利に解決するこの発明の空調椅子は、脚部と、前記脚部に支持された背部および座部と、を具え、空調空気供給路から供給された空調空気を前記背部内で上下方向へ延在する空調空気通路から上方斜め後方へ吹き出させる空調椅子において、前記背部および前記座部の下方に位置して前記空調空気供給路および前記背部内の空調空気通路に連通する中間ボックスと、前記背部の空調空気通路を開閉する開閉部材と、前記中間ボックスと前記背部内の空調空気通路との接続部に連通するとともに前記座部の下方に向いて前向きに開口する補助空気通路と、を具えることを特徴とするものである。
【発明の効果】
【０００７】
かかる空調椅子にあっては、冷房時は、例えば背部の空調空気通路を開閉する開閉部材を開くことで、空調空気供給路から供給された空調空気を中間ボックスを介して、背部内で上下方向へ延在する空調空気通路に供給して、その空調空気通路から上方斜め後方へ吹き出させ、さらにその空調空気により、中間ボックスと背部内の空調空気通路との接続部に連通するとともに座部の下方に向いて前向きに開口する補助空気通路から座部の下方の空気を誘引して空調空気と一緒に背部の上方斜め後方へ吹出させて、吹き出す空気量を増加させ、空調効率を高める。
【０００８】
この一方、暖房時は、例えば背部の空調空気通路を開閉する開閉部材を閉じることで、空調空気供給路から供給された空調空気を中間ボックスを介して、その中間ボックスと背部内の空調空気通路との接続部に連通するとともに座部の下方に向いて前向きに開口する補助空気通路から座部の下方へ吹出させる。
【０００９】
そして、冷房時も暖房時も、必要に応じて開閉部材の開度を適宜調節することで、背部の空調空気通路から上方へ吹き出す空調空気量と補助空気通路から座部の下方へ吹き出す空調空気量との割合を変化させることができる。
【００１０】
従ってこの発明の空調椅子によれば、冷房時と暖房時との何れにおいても着席者の快適感を充分に向上させることができ、しかも空調効率を高めることもできる。
【００１１】
なお、この発明の空調椅子においては、前記開閉部材は、前記背部の下端部に、前側から開閉操作可能に配置されていると好ましい。このようにすれば、観客等が椅子を使用する通常時には開閉部材が座部で隠れていて観客等から見えにくいため、観客等がかってに開閉部材を開閉操作することを防止でき、冷暖房の切り替え時には、座部の下方に手を入れることで、開閉部材を容易に開閉操作することができる。
【００１２】
そして開閉部材が、中間ボックスと背部内の空調空気通路との接続部に近い位置で空調空気通路を開閉することから、空調空気を、中間ボックスから接続部に連通する補助空気通路へ短い距離で供給して温度変化をさほど生じさせずに座部の下方へ吹出させるので、空調効率を高めることができ、しかも開閉部材が、開閉操作されるだけの簡易な構成であることから、安価な構成で空調椅子の空調機能を高めることができる。
【００１３】
また、この発明の空調椅子においては、前記中間ボックスは、前記座部の下方に向いて前向きに開口する開閉可能な吹出し口を有すると好ましい。このようにすれば、暖房時にその吹出し口を操作して開くことで、座部の下方に暖かい空調空気を多量に供給して、着席者の快適感をさらに向上させることができる。
【００１４】
さらに、この発明の空調椅子においては、前記中間ボックスは、左右方向に繋がった複数の前記空調椅子同士で連通しており、前記中間ボックス内には、前記空調空気供給路から供給された空調空気を水平方向に分散させる整流プレートが設けられていると好ましい。このようにすれば、空調空気供給路の数が空調椅子の数より少ない場合でも、空調空気を分散させて多くの着席者の快適感を充分に向上させることができる。
【図面の簡単な説明】
【００１５】
【図１】（ａ）は、この発明の空調椅子の一実施例を具える連結椅子を示す正面図、（ｂ）は、その空調椅子の、（ａ）中のＡ−Ａ線に沿う断面図である。
【図２】上記実施例の空調椅子の、図１（ｂ）に示す断面を拡大して示す断面図である。
【図３】上記実施例の空調椅子の中間ボックスの構成を一部省略して示す分解斜視図である。
【図４】（ａ）は、上記実施例の空調椅子の冷房時の空調空気の経路の一例を示す断面図、（ｂ）は、その実施例の空調椅子の暖房時の空調空気の経路の一例を示す断面図、（ｃ）は、その実施例の空調椅子の暖房時の空調空気の経路の他の例を示す断面図である。
【発明を実施するための形態】
【００１６】
以下に、この発明の実施の形態を実施例によって、図面に基づき詳細に説明する。ここに、図１（ａ）は、この発明の空調椅子の一実施例を具える連結椅子を示す正面図、図１（ｂ）は、その空調椅子の、図１（ａ）中のＡ−Ａ線に沿うとともに背板のみ一部切り欠き断面で示す断面図、図２は、上記実施例の空調椅子の、図１（ｂ）に示す断面を拡大して示す説明図、図３は、上記実施例の空調椅子の中間ボックスの構成を一部省略して示す分解斜視図である。なお、特に断らない限り本明細書での「前後方向」および「左右方向」とは、空調椅子の「前後方向」および「左右方向」を意味する。
【００１７】
この実施例の空調椅子は、互いにほぼ同一のものが左右方向に複数連結されて、劇場等で用いられる連結椅子を構成するものであり、ここにおける各空調椅子は、通常の座起立式のもので、図示のように、空調空気供給路１が開口する床面Ｆ上に立設されるとともに内部に各パイプ状の金属フレームを持つ厚板状部とその後ろ側に整列する薄板状部とを有する左右の脚部２と、それらの脚部２の間に配置されてそれらの脚部２にそれぞれ両側から固定支持された背部３と、それらの脚部２の間に配置されてそれらの脚部２にそれぞれ両側から略水平な使用位置と略垂直な起立位置との間で起倒可能に支持されるとともに図示しないスプリングでその起立位置へ向けて常時回動付勢される座部４とを具えている。
【００１８】
この実施例では、互いに連結された３台の空調椅子を１組として空調構造が構成されており、それら３台のうちの中央の空調椅子の下方に空調空気供給路１が位置するように、各組の３台の空調椅子が床面Ｆ上に配置されている。そして、空調空気供給路１は、床下に設けられた図示しない空調空気チャンバーを介して図示しない空調装置に接続されており、その空調装置から空調空気供給路１を介して上記中央の空調椅子に供給された空調空気Ｃは、後述の如くして、冷房時には、図１（ａ），（ｂ）中に上向きの矢印で示すように、各空調椅子の背部３から上方斜め後方へ吹き出され、暖房時には、図１（ｂ）中に左向きの矢印で示すように、各空調椅子の座部４の下方へ吹き出す。
【００１９】
この実施例の空調椅子は各々、図１（ｂ）に上記３台のうちの中央の空調椅子について代表で示すように、背部３のクッションを後から支持する背板が、前後方向に前部板と中間板と後部板とを重ねた三層構造を持ち、それらのうちの中間板が両側部以外は除かれていて、背板内部にその背板に沿って上下方向へ延在する空調空気通路１０が形成され、その空調空気通路１０の上端部には、ゴミの侵入を防止する通常の網状フィルタと、空調空気Ｃの吹出し方向を整える通常の板状ルーバとが設けられている。
【００２０】
また、この実施例の空調椅子は各々、図２に拡大して示すように、背部３および座部４の下方に位置して空調空気供給路１および背部３内の空調空気通路に連通する中間ボックス１１と、背部３の空調空気通路１０を開閉する開閉部材としてのシャッタ１２と、中間ボックス１１と背部３内の空調空気通路１０との接続部に連通するとともに座部４の下方に向いて前向きに開口する補助空気通路１３とを具えている。
【００２１】
ここで、シャッタ１２は、断面Ｌ字状の金属製の板材からなり、背部３の空調空気通路１０を横断するようにその背部３の下端部に形成された左右方向へ延在する細いスリットに前側から摺動可能に差し込まれて、開閉操作可能に配置されており、例えば座部４が起立位置にあるときに座部４の下方に手を入れて操作することで、このシャッタ１２を、図２に往復矢印で示すように摺動させて、背部３の空調空気通路１０を完全に閉止する閉止位置と、その空調空気通路１０を完全に開放する開放位置と、それらの間の中間位置とに選択的に位置させることができる。
【００２２】
この一方、中間ボックス１１は、図３にその構成を示すように、特に上記中央の空調椅子の中間ボックス１１についてはその内部に整流プレート１４を有し、この整流プレート１４は、床面Ｆに形成された空調空気供給路１の上方にその空調空気供給路１から間隔を空けて水平に配置されて床面Ｆに固定されており、空調空気供給路１から上向きに供給された空調空気は、この整流プレート１４の下面に突き当たって、前後方向および左右方向に分散される。
【００２３】
また、中間ボックス１１は、脚部２の下部を左右方向に貫通して（連結椅子の端部に位置するものは脚部２の薄板状部で側部を覆われて）位置してその脚部２の厚板状部の内部の金属フレームに結合されるとともに前部に上向きの傾斜部とその下の鉛直部とを持つ二つの枠状フレーム１５と、それらの枠状フレーム１５の前部の傾斜部と鉛直部とにそれぞれ沿って延在する傾斜部と鉛直部とを持ち、左右方向両端部をそれらの枠状フレーム１５に気密に結合される前部カバー板１６と、その前部カバー板１６の傾斜部の裏側に金具等によって左右方向摺動可能に支持された前方吹出し調整板１７と、図２に示すように、二つの枠状フレーム１５の後部の鉛直部に沿って延在する鉛直部を持ち、左右方向両端部をそれらの枠状フレーム１５に気密に結合される後部カバー板１８とを有している。
【００２４】
そして、ここにおける前部カバー板１６の傾斜部と、前方吹出し調整板１７とにはそれぞれ、前方吹出し調整板１７が所定位置に位置すると互いに完全に整列する貫通孔からなる多数の吹出し口１１ａが形成され、また前部カバー板１７の傾斜部の上部から上端部付近にかけては、左右方向両端部間に延在する大きな開口部１１ｂが形成されている。
【００２５】
このように構成された中間ボックス１１は、図２に示すように、前部カバー板１７の上端部が背部３の背板を構成する後部板の内側面に当接することで、前部カバー板１７の傾斜部の上部から上端部付近まで開口する開口部１１ｂを介して、背部３の空調空気通路１０の下端部に連通している。また、前部カバー板１７の傾斜部と背部３の背板を構成する前部板の面取りされた下端部との間に隙間が設けられており、この隙間が、中間ボックス１１と背部３内の空調空気通路１０の下端部との接続部である前部カバー板１７の開口部１１ｂ付近に連通するとともに座部４の下方に向いて前向きに開口する補助空気通路１３を形成している。
【００２６】
さらにここでは、背部３の背板を構成する前部板の外側面の下端部に、中間ボックス１１の前部カバー板１７に向かって突出する隙間調整板が設けられ、この隙間調整板が、補助空気通路１３の断面積を適宜に設定する。また、後部カバー板１８の上端部と、背部３の背板を構成する後部板の内側面との間には僅かに隙間が空けられている。
【００２７】
図４（ａ）は、上記実施例の空調椅子の冷房時の空調空気の経路の一例を示す断面図、図４（ｂ）は、その実施例の空調椅子の暖房時の空調空気の経路の一例を示す断面図、図４（ｃ）は、その実施例の空調椅子の暖房時の空調空気の経路の他の例を示す断面図であり、上述の如き構成を具えるこの実施例の空調椅子にあっては、冷房時は、例えば図４（ａ）に示すように、背部３の空調空気通路１０を開閉するシャッタ１２を完全に開くとともに、前方吹出し調整板１７を摺動させて中間ボックス１１の前面の多数の吹出し口１１ａを完全に閉じることで、空調空気供給路１から供給された冷たい空調空気Ｃを中間ボックス１１を介して、背部３内で上下方向へ延在する空調空気通路１０に供給して、その空調空気通路１０から上方斜め後方へ吹き出させる。
【００２８】
さらにその空調空気Ｃにより、中間ボックス１１と背部３内の空調空気通路１０との接続部に連通するとともに座部４の下方に向いて前向きに開口する補助空気通路１３から座部４の下方の空気を誘引して空調空気Ｃと一緒に背部３の上方斜め後方へ吹出させて吹き出す空気量を増加させ、空調効率を高める。その際、空調空気Ｃは、後部カバー板１８の上端部と、背部３の背板を構成する後部板の内側面との間の僅かに隙間から、空調椅子の後方の空気も誘引して、空調空気Ｃと一緒に背部３の上方斜め後方へ吹出させる。
【００２９】
なお、上記３台のうちの中央の空調椅子については、中間ボックス１１の下方の空調空気供給路１から供給された冷たい空調空気Ｃを、その中間ボックス１１を介して背部３内の空調空気通路１０から上方斜め後方へ吹出させるが、上記３台のうちの左右の空調椅子については、中間ボックス１１の下方に空調空気供給路１がないため、中央の空調椅子の中間ボックス１１内に下方の空調空気供給路１から供給された冷たい空調空気Ｃを、整流プレート１４によって前後左右方向へ分散させ、枠状フレーム１５内を通して当該左右の空調椅子の中間ボックス１１内に供給して、その中間ボックス１１を介して背部３内の空調空気通路１０から上方斜め後方へ吹出させる。
【００３０】
この一方、暖房時は、例えば図４（ｂ）に示すように、背部３の空調空気通路１０を開閉するシャッタ１２を完全に閉じるとともに、前方吹出し調整板１７を摺動させて中間ボックス１１の前面の多数の吹出し口１１ａを完全に閉じることで、空調空気供給路１から供給された暖かい空調空気Ｃを中間ボックス１１を介して、その中間ボックス１１と背部３内の空調空気通路１０との接続部に連通するとともに座部４の下方に向いて前向きに開口する補助空気通路１３から座部４の下方へ吹出させる。
【００３１】
そして、より高い暖房効果が望まれるときは、例えば図４（ｃ）に示すように、背部３の空調空気通路１０を開閉するシャッタ１２を開くとともに、前方吹出し調整板１７を摺動させて中間ボックス１１の前面の多数の吹出し口１１ａを完全に開くことで、空調空気供給路１から供給された暖かい空調空気Ｃを中間ボックス１１を介して、背部３内で上下方向へ延在する空調空気通路１０に供給して、補助空気通路１３から誘引した座部４の下方の空気と一緒にその空調空気通路１０から上方斜め後方へ吹き出させるとともに、中間ボックス１１の前面の多数の吹出し口１１ａから座部４の下方へ向けて暖かい空調空気Ｃを多量に供給して、着席者の快適感をさらに向上させることができる。
【００３２】
これらの暖房時も、上記３台のうちの左右の空調椅子については、中間ボックス１１の下方に空調空気供給路１がないため、中央の空調椅子の中間ボックス１１内に下方の空調空気供給路１から供給された暖かい空調空気Ｃを、整流プレート１４によって前後左右方向へ分散させ、枠状フレーム１５内を通して当該左右の空調椅子の中間ボックス１１内に供給して、その中間ボックス１１を介して背部３内の空調空気通路１０から上方斜め後方へ吹出させるとともに補助空気通路１３や中間ボックス１１の前面の多数の吹出し口１１ａから座部４の下方へ向けて吹出させる。
【００３３】
そして、冷房時も暖房時も、必要に応じてシャッタ１２の開度を適宜調節することで、背部３の空調空気通路１０から上方へ吹き出す空調空気量と補助空気通路１３から座部４の下方へ吹き出す空調空気量との割合を変化させることができる。
【００３４】
従ってこの実施例の空調椅子によれば、冷房時と暖房時との何れにおいても着席者の快適感を充分に向上させることができる。
【００３５】
しかも、この実施例の空調椅子によれば、前記開閉部材としてのシャッタ１２は、背部３の下端部に、前側から開閉操作可能に配置されていることから、観客等の着席者が椅子を使用する通常時にはシャッタ１２が座部４で隠れていて着席者から見えにくいため、着席者がかってにシャッタ１２を開閉操作することを防止でき、冷暖房の切り替え時には、管理者が座部４の下方に手を入れることで、シャッタ１２を容易に開閉操作することができる。
【００３６】
そしてシャッタ１２が、中間ボックス１１と背部３内の空調空気通路１０との接続部に近い位置で空調空気通路１０を開閉することから、空調空気Ｃを、中間ボックス１１から接続部に連通する補助空気通路１３へ短い距離で供給して温度変化をさほど生じさせずに座部４の下方へ吹出させるので、空調効率を高めることができ、しかもシャッタ１２が前後方向への摺動により開閉操作されるだけの簡易な構成であることから、安価な構成で空調椅子の空調機能を高めることができる。
【００３７】
また、この実施例の空調椅子によれば、中間ボックス１１は、座部４の下方に向いて前向きに開口する開閉可能な多数の吹出し口１１ａを有していることから、暖房時にその吹出し口１１ａを操作して開くことで、座部４の下方に暖かい空調空気Ｃを多量に供給して、着席者の快適感をさらに向上させることができる。
【００３８】
さらに、この実施例の空調椅子によれば、中間ボックス１１は、左右方向に繋がった複数の空調椅子同士で、枠状フレーム１５を介して連通しており、中央の中間ボックス１１内には、空調空気供給路１から供給された空調空気Ｃを水平方向に分散させる整流プレート１４が設けられているので、空調空気供給路１の数が空調椅子の数より少ない場合でも、空調空気Ｃを分散させて多くの着席者の快適感を充分に向上させることができる。
【００３９】
以上、図示例に基づき説明したが、この発明の空調椅子は上述の例に限定されるものでなく、特許請求の範囲の記載の範囲内で適宜変更し得るものであり、例えば開閉部材は、摺動可能なシャッタ１２に代えて、一端部の支持軸周りに揺動して中間ボックス１１を空調空気通路１０と補助空気通路１３とに選択的に接続し、あるいは両方に接続する板状のダンパを設けてもよく、また、シャッタ１２等の開閉部材を背部３内の空調空気通路１０の中間部や上端部に設けることも可能である。
【００４０】
さらに、上記実施例では各空調椅子を脚部２で床面Ｆに支持したが、中間ボックス１１を複数の空調椅子に亘る角パイプで形成し、その角パイプを数本の柱状の脚部で支持するとともに、その角パイプの各空調椅子の位置に脚部２の代りに支持フレームを立設し、背部３と座部４とをその支持フレームで支持して連結椅子を構成するようにしてもよく、また、上記実施例では空調椅子で連結椅子を構成したが、上記実施例の空調椅子で単独の椅子を構成してもよい。そして上記実施例では開閉部材は手動で開閉作動させているが、モータや電磁石等を用いて電動で、あるいはエアシリンダや油圧シリンダ等を用いて流体圧で、開閉部材を開閉作動させるようにしてもよい。
【産業上の利用可能性】
【００４１】
かくしてこの発明の空調椅子によれば、冷房時と暖房時との何れにおいても着席者の快適感を充分に向上させることができ、しかも空調効率を高めることもできる。
【符号の説明】
【００４２】
１  空調空気供給路
２  脚部
３  背部
４  座部
１０  空調空気通路
１１  中間ボックス
１１ａ  吹出し口
１１ｂ  開口部
１２  シャッタ
１３  補助空気通路
１４  整流プレート
１５  枠状フレーム
１６  前部カバー板
１７  前方吹出し調整板
１８  後部カバー板
Ｃ  空調空気
Ｆ  床面
【図１】
0005444574.tif 000002
【図２】
0005444574.tif 000003
【図３】
0005444574.tif 000004
【図４】
0005444574.tif 000005